(57)【特許請求の範囲】
【請求項１】
入力画像信号に基づく画像を表示する画像表示装置であって、
前記入力画像信号の階調特性を調整する信号調整装置と、
前記信号調整装置から供給される調整画像信号に応じて前記画像を表す画像光を出力する電気光学デバイスと、
を備え、
前記信号調整装置は、第１ないし第３の色信号調整前段部を含む信号調整前段部と、第１ないし第３の色信号調整後段部を含む信号調整後段部と、を備え、
前記第１ないし第３の色信号調整前段部は、前記画像表示装置の入出力特性に関する第１の調整情報に基づいて、前記入力画像信号を構成する第１ないし第３の色画像信号の階調特性を調整すると共に、
前記第１ないし第３の色信号調整後段部は、前記画像表示装置の入出力特性に関する第２の調整情報に基づいて、前記第１ないし第３の色信号調整前段部から供給される第１ないし第３の前段部調整色画像信号の階調特性を調整し、
前記第１ないし第３の色信号調整前段部は、それぞれ、
対応する色の階調としてｐビット（ｐは、２以上の整数）の階調を有する色画像信号が入力されたときに、上位ｑビット（ｑは、１以上ｐ−１以下の整数）の色画像信号を出力する信号変換部と、
前記上位ｑビットの色画像信号の表す階調値と、前記第１の調整情報に従って設定されるｒビット（ｒは、ｐ以上の整数）の階調値との対応関係を示す情報を有し、前記信号変換部から前記上位ｑビットの色画像信号が入力されたときに、前記ｐビットの色画像信号に対応する階調値よりも下側の階調値を表すｒビットの第１の基準信号および上側の階調値を表すｒビットの第２の基準信号を出力する第１のルックアップテーブルと、
前記第１の基準信号および前記第２の基準信号に基づいて前記ｐビットの色画像信号に対応するｒビットの前段部調整色画像信号を補間生成する補間部と、を備え、
前記第１ないし第３の色信号調整後段部は、それぞれ、
対応する色信号調整前段部から供給される前段部調整色画像信号の表すｒビットの階調値と、前記第２の調整情報に従って設定されるｒビットの階調値との対応関係を示す情報を有する第２のルックアップテーブルを備える、
画像表示装置。
【請求項２】
請求項１に記載の画像表示装置であって、
前記信号調整装置を制御する調整制御装置を、備え、
前記信号調整前段部は、
前記入力画像信号を構成する第１ないし第３の色画像信号を調整するために使用可能な４つの前記色信号調整前段部と、
前記調整制御装置からの所定の選択信号に応じて、前記第１ないし第３の色画像信号を、前記４つの色信号調整前段部のうちの任意の３つの色信号調整前段部に対する入力信号として選択する入力信号選択部と、
前記所定の選択信号に応じて、前記第１ないし第３の色画像信号が入力された前記３つの色信号調整前段部から出力される３つの出力信号を、前記第１ないし第３の前段部調整色画像信号として選択する出力信号選択部と、を備える、
画像表示装置。
【請求項３】
請求項１または請求項２記載の画像表示装置であって、
前記第２の調整情報は、前記電気光学デバイスに特有の非線形な入出力特性に起因して発生する、前記画像表示装置の非線形な入出力特性を補正するための情報である、
画像表示装置。
【請求項４】
請求項１ないし請求項３のいずれかに記載の画像表示装置であって、
前記第１の調整情報は、前記画像表示装置で表示される画像に関する特性をユーザが所望する特性とするように、前記画像表示装置の入出力特性を補正するための情報である、
画像表示装置。
【請求項５】
請求項４記載の画像表示装置であって、
前記ユーザが所望する特性には、前記画像表示装置で表示される画像のコントラストと、輝度と、色のうち少なくとも一つの特性が含まれる、
画像表示装置。
【請求項６】
入力画像信号を調整する信号調整装置であって、
第１ないし第３の色信号調整前段部を含む信号調整前段部と、第１ないし第３の色信号調整後段部を含む信号調整後段部と、を備え、
前記第１ないし第３の色信号調整前段部は、所定の特性に関する第１の調整情報に基づいて、前記入力画像信号を構成する第１ないし第３の色画像信号の階調特性を調整すると共に、
前記第１ないし第３の色信号調整後段部は、前記所定の特性に関する第２の調整情報に基づいて、前記第１ないし第３の色信号調整前段部から供給される第１ないし第３の前段部調整色画像信号の階調特性を調整し、
前記第１ないし第３の色信号調整前段部は、それぞれ、
対応する色の階調としてｐビット（ｐは、２以上の整数）の階調を有する色画像信号が入力されたときに、上位ｑビット（ｑは、１以上ｐ−１以下の整数）の色画像信号を出力する信号変換部と、
前記上位ｑビットの色画像信号の表す階調値と、前記第１の調整情報に従って設定されるｒビット（ｒは、ｐ以上の整数）の階調値との対応関係を示す情報を有し、前記信号変換部から前記上位ｑビットの色画像信号が入力されたときに、前記ｐビットの色画像信号に対応する階調値よりも下側の階調値を表すｒビットの第１の基準信号および上側の階調値を表すｒビットの第２の基準信号を出力する第１のルックアップテーブルと、
前記第１の基準信号および前記第２の基準信号に基づいて前記ｐビットの色画像信号に対応するｒビットの前記前段部調整色画像信号を補間生成する補間部と、を備え、
前記第１ないし第３の色信号調整後段部は、それぞれ、
対応する色信号調整前段部から供給される前段部調整色画像信号の表すｒビットの階調値と、前記第２の調整情報に従って設定されるｒビットの階調値との対応関係を示す情報を有する第２のルックアップテーブルを備える、
信号調整装置。
【請求項７】
請求項６に記載の信号調整装置であって、
前記信号調整前段部は、
前記入力画像信号を構成する第１ないし第３の色画像信号を調整するために使用可能な４つの前記色信号調整前段部と、
所定の選択信号に応じて、前記第１ないし第３の色画像信号を、前記４つの色信号調整前段部のうちの任意の３つの色信号調整前段部に対する入力信号として選択する入力信号選択部と、
前記所定の選択信号に応じて、前記第１ないし第３の色画像信号が入力された前記３つの色信号調整前段部から出力される３つの出力信号を、前記第１ないし第３の前段部調整色画像信号として選択する出力信号選択部と、を備える、
信号調整装置。
【発明の詳細な説明】
【０００１】
【発明の属する技術分野】
この発明は、画像表示装置の入出力特性の調整技術に関する。
【０００２】
【従来の技術】
プロジェクタ等の画像表示装置では、画像表示デバイス、例えば、液晶パネルの非線形な入出力特性（Ｖ−Ｔ特性）に起因する画像表示装置の非線形な入出力特性を補正するために、入力画像信号の階調特性を調整する信号調整装置が設けられている。また、この信号調整装置において、入力画像信号の階調特性を調整して画像表示装置の入出力特性を調整することにより、表示画像のコントラストや輝度特性、色調等の調整も行われている。この信号調整装置では、赤（Ｒ）、緑（Ｇ）、青（Ｂ）の各色画像信号の線形な階調値と、上記画像表示装置の入出力特性の調整に対応した階調値との対応関係を示す情報を有している３つのルックアップテーブルにより、画像表示装置の入出力特性の調整が行われる。
【０００３】
なお、３つのルックアップテーブルは、通常、３つのＲＡＭに接続されるコントローラによって上記対応関係を示す情報が書き込まれることにより構成される。
【０００４】
通常の画像表示動作中において、各ルックアップテーブルは、ＲＡＭのアドレス信号として入力される色画像信号の階調値に対応する階調値を有する色画像信号を出力する。
【０００５】
ここで、画像表示装置の入出力特性を高精度に調整して画像の高画質化を図るためには、各ルックアップテーブルにおけるアドレス信号としての色画像信号と、これに対応する出力色画像信号とがより多階調であることが好ましい。このため、従来の８ビット程度のデータ幅を１０ビットのデータ幅に拡張したルックアップテーブルを利用しつつある。
【０００６】
【発明が解決しようとする課題】
しかし、ルックアップテーブルの入出力データ幅が大きくなると、ルックアップテーブルを構成するための情報量（データ量）が増大し、ルックアップテーブルの更新・変更に要する処理時間が増大するという問題がある。特に、画像表示装置の入出力特性について複数種類の異なった調整を行う場合には、ルックアップテーブルを構成するための情報を、それぞれの調整のための情報に基づいて計算することにより求める必要があり、さらにルックアップテーブルの更新・変更に要する処理時間が増大する。
【０００７】
例えば、画像表示の途中で、コントラストやブライトネス（輝度）、色合い等を変更したい場合があり、このような場合に、各色のルックアップテーブルの変更が行われる。このとき、上述したようにルックテーブルを構成する情報量が多くなると、その処理に要する時間が増大することになる。
【０００８】
この発明は、従来技術における上述の課題を解決するためになされたものであり、ルックアップテーブルの変更に要する処理時間を増大させることなく、画像の高画質化を図ることが可能な技術を提供することを目的とする。
【０００９】
【課題を解決するための手段およびその作用・効果】
上述の課題の少なくとも一部を解決するため、本発明の入力画像信号に基づく画像を表示する画像表示装置は、
前記入力画像信号の階調特性を調整する信号調整装置と、
前記信号調整装置から供給される調整画像信号に応じて前記画像を表す画像光を出力する電気光学デバイスと、
を備え、
前記信号調整装置は、第１ないし第３の色信号調整前段部を含む信号調整前段部と、第１ないし第３の色信号調整後段部を含む信号調整後段部と、を備え、
前記第１ないし第３の色信号調整前段部は、前記画像表示装置の入出力特性に関する第１の調整情報に基づいて、前記入力画像信号を構成する第１ないし第３の色画像信号の階調特性を調整すると共に、
前記第１ないし第３の色信号調整後段部は、前記画像表示装置の入出力特性に関する第２の調整情報に基づいて、前記第１ないし第３の色信号調整前段部から供給される第１ないし第３の前段部調整色画像信号の階調特性を調整し、
前記第１ないし第３の色信号調整前段部は、それぞれ、
対応する色の階調としてｐビット（ｐは、２以上の整数）の階調を有する色画像信号が入力されたときに、上位ｑビット（ｑは、１以上ｐ−１以下の整数）の色画像信号を出力する信号変換部と、
前記上位ｑビットの色画像信号の表す階調値と、前記第１の調整情報に従って設定されるｒビット（ｒは、ｐ以上の整数）の階調値との対応関係を示す情報を有し、前記信号変換部から前記上位ｑビットの色画像信号が入力されたときに、前記ｐビットの色画像信号に対応する階調値よりも下側の階調値を表すｒビットの第１の基準信号および上側の階調値を表すｒビットの第２の基準信号を出力する第１のルックアップテーブルと、
前記第１の基準信号および前記第２の基準信号に基づいて前記ｐビットの色画像信号に対応するｒビットの前段部調整色画像信号を補間生成する補間部と、を備え、
前記第１ないし第３の色信号調整後段部は、それぞれ、
対応する色信号調整前段部から供給される前段部調整色画像信号の表すｒビットの階調値と、前記第２の調整情報に従って設定されるｒビットの階調値との対応関係を示す情報を有する第２のルックアップテーブルを備えることを特徴とする。
【００１０】
上記構成においては、第１ないし第３の色信号調整前段部のそれぞれに備えられる第１のルックアップテーブルは、上位ｑビットの色画像信号の表す階調値と、第１の調整情報に従って設定されるｒビット（ｒは、ｐ以上の整数）の階調値との対応関係を示す情報を有している。従って、それぞれの第１のルックアップテーブルがｐビットの色画像信号の表す階調値と、第１の調整情報に従って設定されるｒビットの階調値との対応関係を示す情報を有している場合に比べてその情報量が少なくなり、それぞれの第１のルックアップテーブルに含まれる情報の更新・変更に要する処理時間も短くなる。
【００１１】
また、上記構成おいて、第１ないし第３の色信号調整前段部のそれぞれに備えられる補間部は、ｐビットの色画像信号に対応する階調値よりも下側の階調値を表すｒビットの第１の基準信号および上側の階調値を表すｒビットの第２の基準信号に基づいて、ｐビットの色画像信号に対応するｒビットの前段部調整色画像信号を補間生成することができる。このため、第１ないし第３の色画像信号の階調特性を実効的に高精度に調整することが可能である。
【００１２】
従って、上記画像表示装置においては、第１ないし第３の色信号調整前段部のそれぞれに備えられる第１のルックアップテーブルの更新・変更に要する処理時間を増大させることなく、画像の高画質化を図ることが可能である。
【００１３】
上記画像表示装置において、
前記信号調整装置を制御する調整制御装置を、備え、
前記信号調整前段部は、
前記入力画像信号を構成する第１ないし第３の色画像信号を調整するために使用可能な４つの前記色信号調整前段部と、
前記調整制御装置からの所定の選択信号に応じて、前記第１ないし第３の色画像信号を、前記４つの色信号調整前段部のうちの任意の３つの色信号調整前段部に対する入力信号として選択する入力信号選択部と、
前記所定の選択信号に応じて、前記第１ないし第３の色画像信号が入力された前記３つの色信号調整前段部から出力される３つの出力信号を、前記第１ないし第３の前段部調整色画像信号として選択する出力信号選択部と、を備えることが好ましい。
【００１４】
この構成において、通常の動作時には、第１ないし第３の色画像信号に対応する第１ないし第３の色信号調整前段部として、４つの色信号調整前段部のうち、いずれか３つの色信号調整前段部が選択されており、残りの１つの色信号調整前段部が利用されない状態（空き状態）となっている。第１ないし第３の色信号調整前段部として選択されている３つの色信号調整前段部のそれぞれに備えられている第１のルックアップテーブルの更新は、例えば、以下のように行うことが可能である。
【００１５】
空き状態となっている１つの色信号調整前段部に更新したい色用の第１のルックアップテーブルを設定する。こうすると、更新前の同じ色用の第１のルックアップテーブルが設定されている色信号調整前段部が空き状態となる。そして、この処理を繰り返すことにより、全ての色に対応するそれぞれの第１のルックアップテーブルの更新を行うことができる。
【００１６】
上記のように更新を行う場合、空き状態の色信号調整前段部を利用して各色用の第１のルックアップテーブルの更新を行うので、画像表示装置の表示動作中において、表示画面中のノイズの重畳や、表示画面の色合いの極端な変化を発生をさせることなく、ルックアップテーブルの更新を可能とすることができる。
【００１７】
なお、前記第２の調整情報は、前記電気光学デバイスに特有の非線形な入出力特性に起因して発生する前記画像表示装置の非線形な入出力特性を補正するための情報であることが好ましい。
【００１８】
また、前記第１の調整情報は、前記画像表示装置で表示される画像に関する特性をユーザが所望する特性とするように、前記画像表示装置の入出力特性を補正するための情報であることが好ましい。
【００１９】
なお、前記ユーザが所望する特性には、前記画像表示装置で表示される画像のコントラストと、輝度と、色のうち少なくとも一つの特性が含まれる。なお、色には、色の濃度、色相、色調等が含まれる。
【００２０】
本発明の入力画像信号を調整する信号調整装置は、
第１ないし第３の色信号調整前段部を含む信号調整前段部と、第１ないし第３の色信号調整後段部を含む信号調整後段部と、を備え、
前記第１ないし第３の色信号調整前段部は、所定の特性に関する第１の調整情報に基づいて、前記入力画像信号を構成する第１ないし第３の色画像信号の階調特性を調整すると共に、
前記第１ないし第３の色信号調整後段部は、前記所定の特性に関する第２の調整情報に基づいて、前記第１ないし第３の色信号調整前段部から供給される第１ないし第３の前段部調整色画像信号の階調特性を調整し、
前記第１ないし第３の色信号調整前段部は、それぞれ、
対応する色の階調としてｐビット（ｐは、２以上の整数）の階調を有する色画像信号が入力されたときに、上位ｑビット（ｑは、１以上ｐ−１以下の整数）の色画像信号を出力する信号変換部と、
前記上位ｑビットの色画像信号の表す階調値と、前記第１の調整情報に従って設定されるｒビット（ｒは、ｐ以上の整数）の階調値との対応関係を示す情報を有し、前記信号変換部から前記上位ｑビットの色画像信号が入力されたときに、前記ｐビットの色画像信号に対応する階調値よりも下側の階調値を表すｒビットの第１の基準信号および上側の階調値を表すｒビットの第２の基準信号を出力する第１のルックアップテーブルと、
前記第１の基準信号および前記第２の基準信号に基づいて前記ｐビットの色画像信号に対応するｒビットの前記前段部調整色画像信号を補間生成する補間部と、を備え、
前記第１ないし第３の色信号調整後段部は、それぞれ、
対応する色信号調整前段部から供給される前段部調整色画像信号の表すｒビットの階調値と、前記第２の調整情報に従って設定されるｒビットの階調値との対応関係を示す情報を有する第２のルックアップテーブルを備えることを特徴とする。
【００２１】
また、前記信号調整前段部は、
前記入力画像信号を構成する第１ないし第３の色画像信号を調整するために使用可能な４つの前記色信号調整前段部と、
所定の選択信号に応じて、前記第１ないし第３の色画像信号を、前記４つの色信号調整前段部のうちの任意の３つの色信号調整前段部に対する入力信号として選択する入力信号選択部と、
前記所定の選択信号に応じて、前記第１ないし第３の色画像信号が入力された前記３つの色信号調整前段部から出力される３つの出力信号を、前記第１ないし第３の前段部調整色画像信号として選択する出力信号選択部と、を備えることが好ましい。
【００２２】
本発明の信号調整装置を、画像表示装置に適用することにより、上記発明の画像表示装置と同様の作用・効果を得ることができる。
【００２３】
【発明の他の態様】
この発明は、以下のような他の態様も含んでいる。第１の態様は、入力画像信号に基づく画像を表示する画像表示装置であって、
前記入力画像信号の階調特性を調整する信号調整装置と、
前記信号調整装置から供給される調整画像信号に応じて前記画像を表す画像光を出力する電気光学デバイスと、
を備え、
前記信号調整装置は、
前記画像表示装置の入出力特性に関する第１の調整情報に基づいて、前記入力画像信号の階調特性を調整する信号調整前段部と、
前記画像表示装置の入出力特性に関する第２の調整情報に基づいて、前記信号調整前段部から供給される前段部調整色画像信号の階調特性を調整する信号調整後段部と、を備え、
前記信号調整前段部は、
ｐビット（ｐは、２以上の整数）の画像信号が入力されたときに、上位ｑビット（ｑは、１以上ｐ−１以下の整数）の画像信号を出力する信号変換部と、
前記上位ｑビットの画像信号の表す階調値と、前記第１の調整情報に従って設定されるｒビット（ｒは、ｐ以上の整数）の階調値との対応関係を示す情報を有し、前記信号変換部から前記上位ｑビットの画像信号が入力されたときに、前記ｐビットの画像信号に対応する階調値よりも下側の階調値を表すｒビットの第１の基準信号および上側の階調値を表すｒビットの第２の基準信号を出力する第１のルックアップテーブルと、
前記第１の基準信号および前記第２の基準信号に基づいて前記ｐビットの画像信号に対応するｒビットの前段部調整画像信号を補間生成する補間部と、を備え、
前記信号調整後段部は、
前記信号調整前段部から供給される前段部調整画像信号の表すｒビットの階調値と、前記第２の調整情報に従って設定されるｒビットの階調値との対応関係を示す情報を有する第２のルックアップテーブルを備える態様である。
【００２４】
第２の態様は、入力画像信号の階調特性を調整する信号調整装置であって、
所定の特性に関する第１の調整情報に基づいて、前記入力画像信号の階調特性を調整する信号調整前段部と、
前記所定の特性に関する第２の調整情報に基づいて、前記信号調整前段部から供給される前段部調整色画像信号の階調特性を調整する信号調整後段部と、を備え、
前記信号調整前段部は、
ｐビット（ｐは、２以上の整数）の画像信号が入力されたときに、上位ｑビット（ｑは、１以上ｐ−１以下の整数）の画像信号を出力する信号変換部と、
前記上位ｑビットの画像信号の表す階調値と、前記第１の調整情報に従って設定されるｒビット（ｒは、ｐ以上の整数）の階調値との対応関係を示す情報を有し、前記信号変換部から前記上位ｑビットの画像信号が入力されたときに、前記ｐビットの画像信号に対応する階調値よりも下側の階調値を表すｒビットの第１の基準信号および上側の階調値を表すｒビットの第２の基準信号を出力する第１のルックアップテーブルと、
前記第１の基準信号および前記第２の基準信号に基づいて前記ｐビットの画像信号に対応するｒビットの前段部調整画像信号を補間生成する補間部と、を備え、
前記信号調整後段部は、
前記信号調整前段部から供給される前段部調整画像信号の表すｒビットの階調値と、前記第２の調整情報に従って設定されるｒビットの階調値との対応関係を示す情報を有する第２のルックアップテーブルを備える態様である。
【００２５】
【発明の実施の形態】
次に、本発明の実施の形態を実施例に基づいて以下の手順で説明する。
Ａ．画像表示装置の全体構成：
Ｂ．第１実施例の信号調整回路：
Ｂ１．信号調整後段部：
Ｂ２．信号調整前段部：
Ｂ３．信号調整前段部の変形例：
Ｂ３−１．第１変形例：
Ｂ３−２．第２変形例：
Ｃ．第２実施例の信号調整回路：
Ｃ１．信号調整前段部：
Ｃ２．ルックアップテーブルの設定：
Ｄ．その他：
【００２６】
Ａ．画像表示装置の全体構成：
図１は、本発明の信号調整装置を適用した画像表示装置の全体構成を示すブロック図である。この画像表示装置は、画像処理部としてのＡＤ変換回路１０とビデオプロセッサ２０と画像メモリ３０と、信号調整装置としての信号調整回路４０と、画像表示部としての液晶パネル駆動回路５０および液晶パネル６０と、調整制御装置としてのコントローラ７０と、を備えている。ビデオプロセッサ２０と信号調整回路４０とは、バス７０ｂを介してコントローラ７０に接続されている。コントローラ７０はＣＰＵ、ＲＡＭ、ＲＯＭ等で構成されており、ＲＯＭに記憶されているデータに従って、ビデオプロセッサ２０や信号調整回路４０の動作を制御する。また、ＲＯＭに記憶されているデータに従って、ビデオプロセッサ２０や信号調整回路４０の種々の設定を実行する。例えば、信号調整回路４０にＲ、Ｇ、Ｂの各色のルックアップテーブルを記憶させる。
【００２７】
また、この画像表示装置はいわゆるプロジェクタであり、画像表示部には、液晶パネル６０を照明するための照明装置９０と、液晶パネル６０から射出された画像を表す光（画像光）をスクリーンＳＣ上に投射する投射光学系１００とを備えている。なお、液晶パネル６０は、照明装置９０から射出された照明光を、入力される画像信号に応じて変調し、変調された光（画像を表す「画像光」とも呼ぶ）を出力する電気光学デバイスの一例を示している。
【００２８】
なお、図示は省略されているが、液晶パネル６０は、Ｒ、Ｇ、Ｂ用の３枚の液晶パネルを有している。また、照明装置９０は白色光を３色の光に分離する色光分離光学系を有しており、投射光学系１００は液晶パネル６０からの３色の光を合成する合成光学系を有している。なお、このようなプロジェクタの光学系の構成については、例えば本出願人により開示された特開平１０−１７１０４５号公報に詳述されているので、ここではその説明は省略する。
【００２９】
なお、液晶パネル６０を１枚のカラー液晶パネルとすることも可能である。また、液晶パネル６０を１枚のカラー液晶パネルとし、投射光学系１００を省略して、直視型の画像表示装置とすることも可能である。
【００３０】
ＡＤ変換回路１０は、入力されるアナログ画像信号ＡＶに含まれるＲ、Ｇ、Ｂの色画像信号をそれぞれディジタルの色画像信号に変換する。
【００３１】
ビデオプロセッサ２０は、ＡＤ変換回路１０から入力されるディジタルの各色画像信号を、一旦、画像メモリ３０に書き込むとともに、画像メモリ３０に書き込まれているデータを各色の色画像信号として読み出す制御を行う。この際、画像の拡大／縮小等の種々の画像処理を実行する。
【００３２】
信号調整回路４０は、ビデオプロセッサ２０から入力されるＲ、Ｇ、Ｂの色画像信号に対して、それぞれ階調特性の調整を行う。信号調整回路４０から出力された各色画像信号（調整色画像信号）は、液晶パネル駆動回路５０に供給される。液晶パネル駆動回路５０は、与えられた各色画像信号に応じて、液晶パネル６０を駆動するための駆動信号を生成する。液晶パネル６０は、照明装置９０による照明光を、駆動信号に応じて変調する。変調された光は、画像光として投射光学系１００を介してスクリーンＳＣ上に投射される。これにより、スクリーンＳＣ上に画像が表示される。
【００３３】
なお、本実施例の画像表示装置は、信号調整回路４０に特徴を有している。以下では、この信号調整回路４０について説明する。
【００３４】
Ｂ．第１実施例の信号調整回路：
図２は、第１実施例としての信号調整回路４０の内部構成を示すブロック図である。信号調整回路４０は、２段階の信号調整部、すなわち、信号調整前段部４１と信号調整後段部４２とで構成される。
【００３５】
信号調整前段部４１は、入力されるＲ，Ｇ，Ｂ３つの色画像信号ＤＩ（Ｒ），ＤＩ（Ｇ），ＤＩ（Ｂ）の階調特性を調整する３つの色信号調整前段部４１Ｒ，４１Ｇ，４１Ｂを備えている。また、信号調整後段部４２は、各色信号調整前段部４１Ｒ，４１Ｇ，４１Ｂから供給される前段部調整色画像信号ＤＯ（Ｒ），ＤＯ（Ｇ），ＤＯ（Ｂ）の階調特性を調整する３つの色信号調整後段部４２Ｒ，４２Ｇ，４２Ｂを備えている。各ブロック４１Ｒ，４１Ｇ，４１Ｂ，４２Ｒ，４２Ｇ，４２Ｂは、バス７０ｂに接続されている。Ｒ，Ｇ，Ｂの色画像信号は、それぞれに対応する色信号調整前段部４１Ｒ，４１Ｇ，４１Ｂと、色信号調整後段部４２Ｒ，４２Ｇ，４２Ｂとで、それぞれ独立して階調特性が調整される。
【００３６】
Ｂ１．信号調整後段部：
信号調整後段部４２を構成する３つの色信号調整前段部４２Ｒ，４２Ｇ，４２Ｂは同じ構成を有している。以下では、Ｒの色信号調整後段部４２Ｒについて主に説明することとする。
【００３７】
図３は、Ｒに対応する色信号調整後段部４２Ｒを機能的に示す説明図である。この色信号調整後段部４２Ｒは、１つのＲＡＭ４１０と、アクセス切替回路４２０とを備えている。
【００３８】
アクセス切替回路４２０は、アクセス切替信号ＳＬ２（Ｒ）に従って、色信号調整前段部４１Ｒから供給される前段部調整色画像信号ＤＯ（Ｒ）［９：０］と、バス７０ｂのアドレスバスを介して供給されるアドレス信号ＡＤ［９：０］のどちらか一方を、ＲＡＭ４１０の入力アドレス信号ＡＤＩ［９：０］として選択する。なお、各信号名に付されている［］は、その信号のデータ幅を示している。例えば、［９：０］は、最下位ビットの番号が０で最上位ビットの番号が９ビットである１０ビットのデータ幅を示している。なお、以下の説明では、このデータ幅を省略する場合もある。また、各信号名に付記されている（Ｒ）は、対応する色を示している。なお、以下では、この付記を省略する場合もある。
【００３９】
入力アドレス信号ＡＤＩとして前段部調整色画像信号ＤＯ（Ｒ）が選択されている場合には、リードライト信号ＷＲ２（Ｒ）に従ってＲＡＭ４１０の読み出しが実行されて、後段部調整色画像信号ＡＤＪ（Ｒ）が出力される。なお、後段部調整色画像信号ＡＤＪ（Ｒ）が信号調整回路４０から出力されるＲの調整色画像信号となる。
【００４０】
また、入力アドレス信号ＡＤＩとしてアドレス信号ＡＤが選択されている場合には、リードライト信号ＷＲ２に従ってＲＡＭ４１０の読み出しまたは書き込みが行われる。
【００４１】
書き込み実行時には、ＲＡＭ４１０の入力アドレス信号ＡＤＩに対応するアドレスに、バス７０ｂのデータバスを介して供給される書き込みデータ信号ＷＤが書き込まれる。読み出し実行時には、ＲＡＭ４１０の入力アドレス信号ＡＤＩに対応するアドレスに書き込まれているデータが読み出されて、アクセス切替回路４２０を介して読み出しデータ信号ＲＤとしてバス７０ｂのデータバスに出力される。
【００４２】
なお、ＲＡＭ４１０には、液晶パネル６０に特有の非線形な入出力特性に起因して発生する画像表示装置の非線形な入出力特性を補正するための階調特性情報がルックアップテーブルとして書き込まれる。
【００４３】
上述したように、他の色信号調整後段部４２Ｇ，４２ＢもＲの色信号調整後段部４２Ｒと同様の構成を有している。ただし、バス７０ｂを介して供給されるリードライト信号およびアクセス切替信号については、それぞれのブロック４２Ｇ，４２Ｂに独立のリードライト信号ＷＲ２（Ｇ），ＷＲ２（Ｂ）およびアクセス切替信号ＳＬ２（Ｇ），ＳＬ２（Ｂ）が入力される。また、対応する色信号調整前段部４１Ｇ，４１Ｂから出力される前段部調整色画像信号ＤＯ（Ｇ），ＤＯ（Ｂ）が、対応する色信号調整後段部４２Ｇ，４２Ｂに入力される。
【００４４】
Ｂ２．信号調整前段部：
信号調整前段部４１を構成する３つの色信号調整前段部４１Ｒ，４１Ｇ，４１Ｂは同じ構成を有している。以下では、Ｒの色信号調整前段部４１Ｒについて主に説明することとする。
【００４５】
図４は、Ｒに対応する色信号調整前段部４１Ｒを機能的に示す説明図である。この色信号調整前段部４１Ｒは、アクセス制御回路５１０と、２つのＲＡＭ５２０ｕ，５２０ｄと、補間回路５３０とを備えている。
【００４６】
アクセス制御回路５１０は、アクセス切替信号ＳＬ１（Ｒ）に従って、Ｒの色画像信号ＤＩ（Ｒ）と、バス７０ｂを介して供給されるアドレス信号ＡＤのどちらか一方を選択する。すなわち、アクセス制御回路５１０は、アクセス切替信号ＳＬ１（Ｒ）に従って、Ｒの色画像信号ＤＩ（Ｒ）による２つのＲＡＭ５２０ｕ，５２０ｄのアクセスかアドレス信号ＡＤによる２つのＲＡＭ５２０ｕ，５２０ｄのアクセスかを選択制御する。
【００４７】
２つのＲＡＭ５２０ｄ、５２０ｕには、アクセス制御回路５１０からそれぞれ５ビットの入力アドレス信号ＡＤＩｄ，ＡＤＩｕが入力される。
【００４８】
ここで、色画像信号ＤＩおよびアドレス信号ＡＤは１０ビットのデータ幅を有しているので、アクセス制御回路５１０は、アクセス切替信号ＳＬ１によって選択された色画像信号ＤＩとアドレス信号ＡＤのどちらか一方の信号の上位５ビットを入力アドレス信号ＡＤＩｄ，ＡＤＩｕとして出力する。
【００４９】
まず、色画像信号ＤＩによるアクセスが選択されている場合について説明する。色画像信号ＤＩによるアクセスが選択されている場合には、上位５ビットの色画像信号ＤＩ［９：５］が入力アドレス信号ＡＤＩｄ［４：０］，ＡＤＩｕ［４：０］として出力される。また、リードライト信号ＷＲ１は、２つのリードライト信号ＷＲ１ｄ，ＷＲ１ｕとしてアクセス制御回路５１０から出力される。このアクセス制御回路５０が本発明の信号変換部に相当する。
【００５０】
２つのＲＡＭ５２０ｄ，５２０ｕでは、それぞれに対応するリードライト信号ＷＲ１ｄ，ＷＲ１ｕに従って、入力アドレス信号ＡＤＩｄ，ＡＤＩｕに対応するデータが読み出される。読み出されたデータは、１０ビットの基準データ信号ＤＲ１［９：０］、ＤＲ２［９：０］として出力される。
【００５１】
なお、２つのＲＡＭ５２０ｄ，５２０ｕの同じアドレスには、上位５ビットの色画像信号ＤＩ［９：５］が同じ値で、下位５ビットの色画像信号ＤＩ［４：０］が最小値”００ｈ”（なお、ｈは１６進数であることを示す記号である）の場合に対応する調整データと、最大値”１Ｆｈ”の場合に対応する調整データとが格納されている。例えば、入力アドレス信号ＡＤＩｄ，ＡＤＩｕとして上位５ビットの色画像信号ＤＩ［９：５］の値が”００ｈ”であるとき、入力アドレス信号ＡＤＩｄの値が”００ｈ”に対応するＲＡＭ５２０ｄのアドレスに対して、下位５ビットＤＩ［４：０］が”００ｈ”、すなわち、ＤＩ［９：０］が”０００ｈ”に対応する１０ビットの調整データが格納されている。また、ＲＡＭ５２０ｕには、下位５ビットＤＩ［４：０］が”１Ｆｈ”、すなわち、ＤＩ［９：０］が”０１Ｆｈ”に対応する１０ビットの調整データが格納されている。
【００５２】
２つのＲＡＭ５２０ｄ，５２０ｕから読み出された２つの基準データ信号ＤＲ１［９：０］，ＤＲ２［９：０］と、色画像信号ＤＩの下位５ビットＤＩ［５：０］は、補間回路５３０に入力される。
【００５３】
補間回路５３０は、２つの基準データ信号ＤＲ１，ＤＲ２のそれぞれの値と、下位５ビットの色画像信号ＤＩ［４：０］の値とから、下式（１）で示す直線補間演算式に従って、色画像信号ＤＩに対応するデータを生成する。この補間回路５３０が本発明の補間部に相当する。生成されたデータは、前段部調整色画像信号ＤＯ［９：０］として出力される。
【００５４】
ＤＯ＝ＤＲ１［９：０］＋（ＤＲ２［９：０］−ＤＲ１［９：０］）・ＤＩ［４：０］／（０１Ｆｈ）  …（１）
【００５５】
次にアドレス信号ＡＤによるアクセスが選択されている場合について説明する。アドレス信号ＡＤによるアクセスが選択されている場合には、アドレス信号ＡＤの上位５ビットが入力アドレス信号ＡＤＩｄ，ＡＤＩｕとして出力される。また、リードライト信号ＷＲ１は、２つのリードライト信号ＷＲ１ｄ，ＷＲ１ｕとしてアクセス制御回路５１０から出力される。２つのＲＡＭ５２０ｄ，５２０ｕでは、それぞれに対応するリードライト信号ＷＲ１ｄ，ＷＲ１ｕに従って、入力アドレス信号ＡＤＩｄ，ＡＤＩｕに対応するアドレスに対して、データの読み出しまたは書き込みが行われる。
【００５６】
ただし、アドレス信号ＡＤの下位５ビットの値に応じて、２つのＲＡＭ５２０ｄ，５２０ｕのアクセスが選択される。具体的には、下位５ビットのアドレス信号ＡＤ［４：０］が”００ｈ”の場合には、第１のＲＡＭ５２０ｄのアクセスが選択され、上位５ビットのアドレス信号ＡＤ［９：５］が入力アドレス信号ＡＤＩｄとして出力されるとともに、リードライト信号ＷＲ１に対応するリードライト信号ＷＲ１ｄが出力される。書き込み時には、さらに、バス７０ｂのデータバスを介して供給される書き込みデータＷＤ［９：０］が書き込みデータＷＤＩｄとして出力される。また、下位５ビットのアドレス信号ＡＤ［４：０］が”０１ｈ”の場合には、第２のＲＡＭ５２０ｕが選択されて、上位５ビットのアドレス信号ＡＤ［９：５］が入力アドレス信号ＡＤＩｕとして出力されるとともに、リードライト信号ＷＲ１（Ｒ）に対応するリードライト信号ＷＲ１ｕが出力される。書き込み時には、さらに、バス７０ｂのデータバスを介して供給される書き込みデータＷＤ［９：０］が書き込みデータＷＤＩｕとして出力される。
【００５７】
第１のＲＡＭ５２０ｄの書き込み実行時には、入力アドレス信号ＡＤＩｄに対応するアドレスに、書き込みデータＷＤＩｄが書き込まれる。読み出し実行時には、入力アドレス信号ＡＤＩｄに対応するアドレスに書き込まれているデータが読み出されて、アクセス制御回路５１０を介して読み出しデータ信号ＲＤとしてバス７０ｂのデータバスに出力される。第２のＲＡＭ５２０ｕの読み出し／書き込みも同様である。
【００５８】
なお、２つのＲＡＭ５２０ｄ、５２０ｕには、画像のコントラスト、輝度、色あい等に応じて画像表示装置の入出力特性を補正するための階調特性情報がルックアップテーブルとして書き込まれる。２つのＲＡＭ５２０ｄ，５２０ｕに書き込まれたルックアップテーブルが本発明の第１のルックアップテーブルに相当する。
【００５９】
他の色信号調整前段部４１Ｇ，４１ＢもＲの色信号調整前段部４１Ｒと同様の構成を有している。ただし、バス７０ｂを介して供給されるリードライト信号およびアクセス切替信号については、それぞれのブロック４１Ｇ，４１Ｂに独立のリードライト信号ＷＲ１（Ｇ），ＷＲ１（Ｂ）およびアクセス切替信号ＳＬ１（Ｇ），ＳＬ１（Ｂ）が入力される。
【００６０】
各色信号調整前段部４１Ｒ，４１Ｇ，４１Ｂは、以上説明したように、それぞれに入力される１０ビットの色画像信号のうち、上位５ビットの色画像信号を入力アドレス信号ＡＤＩｄ，ＡＤＩｕとし、これら入力アドレス信号ＡＤＩｄ，ＡＤＩｕに対応する１０ビットの出力信号ＤＲ１，ＤＲ２を出力する２つのＲＡＭ５２０ｄ，５２０ｕがルックアップテーブルとして機能する。これにより、１つのＲＡＭが１０ビットの入力アドレス信号に対応して１０ビットの出力信号を出力するルックアップテーブルとして機能する場合に比べて、小さなメモリ容量でルックアップテーブルを構成することが可能である。したがって、ルックアップテーブルの更新・変更を行う時間を比較的短くすることが可能である。
【００６１】
また、ルックアップテーブルに格納されていない階調の色画像信号に対しては、ルックアップテーブルに格納されているデータを利用して補間演算することにより対応する出力信号を生成することができるので、画像の高画質化も実現することが可能である。
【００６２】
以上説明したように、本実施例の信号調整回路４０では、信号調整前段部４１において、画像表示動作中に変更される可能性のある画像のコントラスト、輝度、色あい等の調整が実行される。また、信号調整後段部４２において、液晶パネル６０に特有の非線形な入出力特性の調整が実行される。従って、画像表示動作中に変更される可能性のある画像のコントラスト、輝度、色あい等が変更されても、上述したように、比較的短い時間で変更を行うことができる。また、比較的高画質の調整を行うことが可能である。
【００６３】
なお、本実施例においては、Ｒ，Ｇ，Ｂの色画像信号をそれぞれ調整する場合の構成を例に説明しているが、モノクロの画像信号を調整する場合にも適用可能である。この場合には、１つの色信号調整前段部および色信号調整後段部を信号調整前段部および信号調整後段部として適用すればよい。
【００６４】
Ｂ３．信号調整前段部の変形例：
なお、信号調整前段部４１を構成する色信号調整前段部４１Ｒ，４１Ｇ，４１Ｂは、以下のような変形例の色信号調整前段部により構成することも可能である。
【００６５】
Ｂ３−１．第１変形例：
図５は、第１変形例としてのＲの色信号調整前段部４１ＲＡを示す説明図である。この色信号調整前段部４１ＲＡの構成は、第１実施例の色信号調整前段部４１ＲのＲＡＭ５２０ｕに格納されるデータの構成が異なり、これに応じて補間回路５３０における演算式が下式（２）で表される点を除いて全く同じ構成である。
【００６６】
ＤＯ＝ＤＲ１［９：０］＋（ＤＲ２［９：０］−ＤＲ１［９：０］）・ＤＩ［４：０］／（０２０ｈ）  …（２）
【００６７】
第１実施例の色信号調整前段部４１ＲにおけるＲＡＭ５２０ｕは、図４に示すように、ＲＡＭ５２０ｄの同じアドレスに格納されているデータに対して、１０ビットの色画像信号ＤＩの値が”０１Ｆｈ”だけ大きい信号に対応するデータが格納されている。この場合、２つのＲＡＭ５２０ｄ，５２０ｕから出力される２つの基準データ信号ＤＲ１，ＤＲ２の間隔は”１Ｆｈ”、すなわち、１０進数で”３１”であり、補間回路５３０で実行される上式（１）の除算”／（１Ｆｈ）”の回路構成は、一般に複雑となる。
【００６８】
一方、本変形例の色信号調整前段部４１ＲＡにおけるＲＡＭ５２０ｕは、図５に示すように、ＲＡＭ５２０ｄの同じアドレスに格納されているデータに対して、１０ビットの色画像信号ＤＩの値が”０２０ｈ”だけ大きい信号に対応するデータが格納されている。この場合、２つのＲＡＭ５２０ｄ，５２０ｕから出力される２つの基準データ信号ＲＡ１，ＲＡ２の間隔は”２０ｈ”、すなわち、１０進数で”３２”であり、補間回路５３０で実行される上式（２）の除算”／（２０ｈ）”の回路は、簡単なシフト演算回路により構成可能である。
【００６９】
以上説明のように、本変形例の色信号調整前段部４１ＲＡでは、補間回路５３０を簡単に構成できる利点がある。
【００７０】
Ｂ３−２．第２変形例：
図６は、第２変形例としてのＲの色信号調整前段部４１ＲＢを示す説明図である。この色信号調整前段部４１ＲＢは、アクセス制御回路５１０Ｂと、１つのＲＡＭ５２０ｄと、データラッチ回路５２５と、補間回路５３０とを備えている。
【００７１】
アクセス制御回路５１０Ｂは第１実施例の色信号調整前段部４１Ｒと同様に、ＲＡＭ５２０ｄのアクセスを制御する。また、データラッチ回路５２５にラッチクロック信号ＬＴＣＫを供給する。
【００７２】
データラッチ回路５２５は、ラッチクロック信号ＬＴＣＫに従って、ＲＡＭ５２０ｄから読み出され１０ビットの出力データ信号ＤＲ［９：０］をラッチして、２つの基準データ信号ＤＲ１，ＤＲ２を出力する。
【００７３】
図７は、２つの基準データＤＲ１，ＤＲ２の出力タイミングチャートである。アクセス制御回路５１０Ｂは、図７（ａ）に示すように周期Ｔの色画像信号ＤＩ［９：０］が入力されると、図７（ｂ）に示す上位５ビットの色画像信号ＤＩ［９：５］を、上位に１ビットのデータを追加した６ビットのアドレス信号ＤＩＣ［５：０］に拡張する。このアドレス信号ＤＩＣ［５：０］は、図７（ｃ）に示すように、１周期の色画像信号ＤＩが、Ｔ／２周期を１周期とする信号に変換される。ただし、１周期目のアドレス値は、色画像信号ＤＩ［９：５］の示す値であり、２周期目のアドレス信号ＤＩＣ［５：０］は、１周期目のアドレス値を＋１インクリメントした値とされる。そして、このアドレス信号ＤＩＣ［５：０］が入力アドレス信号ＡＤＩｄとしてＲＡＭ５２０ｄに入力される。
【００７４】
ＲＡＭ５２０ｄは、入力されるアドレス信号ＤＩＣ［５：０］に応じて、図７（ｄ）に示すように読み出し信号ＤＲ［９：０］を出力する。
【００７５】
データラッチ回路５２５には、図７（ｅ）に示すラッチクロック信号ＬＴＣＫが入力されている。このラッチクロック信号ＬＴＣＫは、色画像信号ＤＩ［９：０］に同期した周期Ｔのクロック信号である。また、このラッチクロック信号ＬＴＣＫは、立ち上がりエッジタイミングで、アドレス信号ＤＩＣ［５：０］の１周期目による読み出し信号ＤＲ［９：０］をラッチし、立ち下がりエッジタイミングで、アドレス信号ＤＩＣ［５：０］の２周期目による読み出し信号ＤＲ［９：０］をラッチ可能なタイミングを有している。ラッチ回路５２５は、ラッチクロック信号ＬＴＣＫの立ち上がりエッジタイミングで、アドレス信号ＤＩＣ［５：０］の１周期目による読み出し信号ＤＲ［９：０］を一旦ラッチして、図７（ｆ）に示すラッチ信号ＤＲ１ＬＴ［９：０］を生成する。そして、ラッチクロック信号ＬＴＣＫの立ち下がりエッジタイミングで、さらに、ラッチ信号ＤＲ１ＬＴをラッチして、図７（ｇ）に示す第１の基準データ信号ＤＲ１［９：０］を生成する。同時に、ラッチクロック信号ＬＴＣＫの立ち下がりエッジタイミングで、アドレス信号ＤＩＣ［５：０］の２周期目による読み出し信号ＤＲ［９：０］をラッチして、図７（ｈ）に示す第２の基準データ信号ＤＲ２［９：０］を生成する。
【００７６】
図６の補間回路５３０は、上述したように、２つの基準データ信号ＤＲ１，ＤＲ２のそれぞれの値と、下位５ビットの色画像信号ＤＩ［５：０］の値とから、上記（２）式に従って、色画像信号ＤＩに対応するデータを生成する。生成されたデータは、前段部調整色画像信号ＤＯ［９：０］として出力される。
【００７７】
以上のように、本変形例の色信号調整前段部４１ＲＢにおいては、上記第１実施例の色信号調整前段部４１Ｒおよび第１変形例の色信号調整前段部４１ＲＡにおける２つのＲＡＭ５２０ｄ，５２０ｕを１つのＲＡＭ５２０ｄに削減することができるので、第１実施例の色信号調整前段部４１Ｒおよび第１変形例の色信号調整前段部４１ＲＡに比べて回路規模を小さくすることができるという利点がある。また、第１変形例の色信号調整前段部４１ＲＡと同様に、簡単に補間回路を構成することができるという利点もある。
【００７８】
なお、以上の説明からわかるように、アクセス制御回路５１０Ｂが本発明の信号変換部に相当する。また、ＲＡＭ５２０ｄに書き込まれたルックアップテーブルおよびデータラッチ回路５２５が本発明の第１のルックアップテーブルに相当する。
【００７９】
Ｃ．第２実施例の信号調整回路：
Ｃ１．信号調整前段部：
図８は、第２実施例における信号調整回路を構成する信号調整前段部４１Ａを機能的に示す説明図である。なお、信号調整後段部は、第１実施例における信号調整後段部４２（図２）と同じであるので図示および説明を省略する。
【００８０】
この信号調整前段部４１Ａは、入力信号選択部６１０と、４つの色信号調整前段部６２０Ａ〜６２０Ｄと、出力信号選択部６３０とを備えている。
【００８１】
入力信号選択部６１０は、選択信号ＳＬＴに応じて、Ｒの色画像信号ＤＩ（Ｒ）と、Ｇの色画像信号ＤＩ（Ｇ）と、Ｂの色画像信号ＤＩ（Ｂ）の３つの色画像信号を、４つの色信号調整前段部６２０Ａ〜６２０Ｄのうちの任意の３つの色信号調整部に対する入力信号として選択する機能を有している。
【００８２】
出力信号選択部６３０は、選択信号ＳＬＴに従って、３つの色画像信号が入力された色信号調整部から出力される出力信号を対応する色の前段部調整色画像信号ＤＯ（Ｒ），ＤＯ（Ｇ），ＤＯ（Ｂ）として選択する。例えば、第１の色信号調整前段部６２０Ａの入力信号としてＲの色画像信号ＤＩ（Ｒ）が選択されているならば、第１の色信号調整前段部６２０Ａの出力信号ＤＯ（Ａ）は、Ｒの前段部調整色画像信号ＤＯ（Ｒ）として選択される。
【００８３】
図８では、色信号調整前段部６２０Ａ、６２０Ｂ，６２０Ｃの入力信号として、Ｒ，Ｇ，Ｂの色画像信号ＤＩ（Ｒ），ＤＩ（Ｇ），ＤＩ（Ｂ）がこの順に選択され、Ｒ，Ｇ，Ｂの前段部調整色画像信号ＤＯ（Ｒ），ＤＯ（Ｇ），ＤＯ（Ｂ）として、色信号調整前段部６２０Ａ、６２０Ｂ，６２０Ｃの出力信号ＤＯ（Ａ），ＤＯ（Ｂ），ＤＯ（Ｃ）がこの順に選択されている場合を示している。
【００８４】
４つの色信号調整前段部６２０Ａ〜６２０Ｄのそれぞれの読み出しと書き込みは、それぞれに供給されるリードライト信号ＷＲ１（Ａ）〜ＷＲ１（Ｄ）によって独立に制御される。また、それぞれの内部において、入力信号選択部６１０から供給される色画像信号と、バス７０ｂのアドレスバスを介して供給されるアドレス信号ＡＤとのいずれを入力アドレス信号として選択するかについては、それぞれに供給されるアクセス切替信号ＳＬ１（Ａ）〜ＳＬ１（Ｄ）に従って独立に制御される。
【００８５】
なお、４つの色信号調整前段部６２０Ａ〜６２０Ｄは、第１実施例における色信号調整前段部４１Ｒ（図４）や第１変形例の色信号調整前段部４１ＲＡ、第２変形例の色信号調整前段部４１ＲＢのいずれかと同じ構成により実現可能である。ここでは、各色信号調整前段部６２０Ａ〜６２０Ｄの構成および動作の説明は省略する。
【００８６】
Ｃ２．ルックアップテーブルの設定：
図８に示すように、初期設定状態として、第１ないし第３の色信号調整前段部６２０Ａ〜６２０Ｃの入力信号として、入力信号選択部６１０においてＲ，Ｇ，Ｂの色画像信号ＤＩ（Ｒ），ＤＩ（Ｇ）、ＤＩ（Ｂ）が選択されており、Ｒ，Ｇ，Ｂの前段部調整色画像信号ＤＯ（Ｒ），ＤＯ（Ｇ），ＤＯ（Ｂ）として、出力信号選択部６３０において、第１ないし第３の色信号調整前段部６２０Ａ〜６２０Ｃの出力信号ＤＯ（Ａ），ＤＯ（Ｂ），ＤＯ（Ｃ）が選択されているとする。すなわち、第１ないし第３の色信号調整前段部６２０Ａ〜６２０Ｃに、それぞれＲ，Ｇ，Ｂの色画像信号の階調特性に対応するルックアップテーブルが設定されているとする。第１ないし第３の色信号調整前段部６２０Ａ〜６２０Ｃに付されている＜Ｒ＞，＜Ｇ＞，＜Ｂ＞の記号は、それぞれＲ，Ｇ，Ｂ用のルックアップテーブルが設定されていることを示している。なお、第４の色信号調整前段部６２０Ｄにはルックアップテーブルの設定はされていない。
【００８７】
ルックアップテーブルの設定は、第１実施例において説明したように、４つの色信号調整前段部６２０Ａ〜６２０Ｄのうち、それぞれに入力されるアクセス切替信号ＳＬ１（Ａ）〜ＳＬ１（Ｃ）に従って、バス７０ｂを介して供給されるアドレス信号ＡＤによるアクセスが選択されている色信号調整装置の順に実行される。
【００８８】
上記設定状態から、ルックアップテーブルを書き換えて更新する場合、以下の手順で実行される。
【００８９】
図８の信号調整前段部４１Ａにおいて、第４の色信号調整前段部６２０Ｄは空き状態となっている。そこで、この空き状態の第４の色信号調整前段部６２０Ｄに書き換えたいＲのルックアップテーブルを設定する。図９は、Ｒ用のルックアップテーブルを書き換えた後の信号調整前段部４１Ａを示す説明図である。第４の色信号調整前段部６２０Ｄに新しいＲ用のルックアップテーブルが記憶されているので、入力信号選択部６１０は、Ｒの色画像信号ＤＩ（Ｒ）が第４の色信号調整前段部６２０Ｄの入力アドレス信号となるように選択する。また、出力信号選択部６３０は、第４の色信号調整前段部６２０Ｄの出力信号ＤＯ（Ｄ）がＲの前段部調整色画像信号ＤＯ（Ｒ）となるように選択する。
【００９０】
ここで、図９の第１の色信号調整前段部６２０Ａには、書き換え前のＲ用のルックアップテーブルが設定されているので不要である。そこで、第１の色信号調整前段部６２０Ａに書き変えたいＧ用のルックアップテーブルを設定する。図１０は、Ｇ用のルックアップテーブルを書き換えた後の信号調整前段部４１Ａを示す説明図である。第１の色信号調整前段部６２０Ａに新しいＧ用のルックアップテーブルが設定されているので、入力信号選択部６１０は、Ｇの色画像信号ＤＩ（Ｇ）が第１の色信号調整前段部６２０Ａの入力アドレス信号となるように選択する。また、出力信号選択部６３０は、第１の色信号調整前段部６２０Ａの出力信号ＤＯ（Ａ）がＧの前段部調整色画像信号ＤＯ（Ｇ）となるように選択する。
【００９１】
また、図１０の第２の色信号調整前段部６２０Ｂには、書き換え前のＧ用のルックアップテーブルが設定されているので不要である。そこで、第２の色信号調整前段部６２０Ｂに書き変えたいＢ用のルックアップテーブルを設定する。図１１は、Ｂ用のルックアップテーブルを書き換えた後の信号調整前段部４１Ａを示す説明図である。第２の色信号調整前段部６２０Ｂに新しいＢ用のルックアップテーブルが設定されているので、入力信号選択部６１０は、Ｂの色画像信号ＤＩ（Ｂ）が第２の色信号調整前段部６２０Ｂの入力アドレス信号となるように選択する。また、出力信号選択部６３０は、第２の色信号調整前段部６２０Ｂの出力信号ＤＯ（Ｂ）がＢの前段部調整色画像信号ＤＯ（Ｂ）となるように選択する。
【００９２】
以上のようにして、４つの色信号調整前段部６２０Ａ〜６２０Ｄのうち空き状態となっている１つの色信号調整前段部に、書き換えて更新したい１つの色のルックアップテーブルを設定することにより、順に不要となる色信号調整前段部が発生する。この不要となる色信号調整前段部を利用することにより、すべての色のルックアップテーブルを更新することができる。
【００９３】
ここで、ルックアップテーブルの書き換えは、不要となった色信号調整前段部を利用して行っているので、各色信号調整前段部に既に設定されているルックアップテーブルを直接書き換えることによって発生するノイズを防止することができる。また、ルックアップテーブルの書き換え中も、書き換え前のルックアップテーブルを介した色信号によって画像を表示することができるので、色あいが大きく変わってしまうこともない。
【００９４】
なお、上記ルックアップテーブルの書き換えは、第１ないし第３の色信号調整前段部６２０Ａ〜６２０ＣにＲ、Ｇ、Ｂの各色用のルックアップテーブルが最初に記憶されている場合を例に説明しているが、これに限定されるものではなく、４つの色信号調整前段部６２０Ａ〜６２０Ｄのうちいずれかの３つの色信号調整前段部に、Ｒ，Ｇ，Ｂの各色用のルックアップテーブルが設定されている場合においても適用可能である。また、上記実施例では、各色用のルックアップテーブルのすべてを書き換える場合を例に説明しているがこれに限定されるものではなく、いずれか１つまたは２つのルックアップテーブルを書き換える場合においても適用可能である。
【００９５】
Ｄ．その他：
なお、この発明は上記の実施例や実施形態に限られるものではなく、その要旨を逸脱しない範囲において種々の態様において実施することが可能であり、例えば次のような変形も可能である。
【００９６】
上記実施例では、画像表示部として透過型液晶パネルを利用したプロジェクタの構成について説明したが、本発明は、他のタイプのプロジェクタにも適用可能である。他のタイプのプロジェクタとしては、反射型液晶パネルを利用したものや、ディジタル・マイクロミラー・デバイス（テキサスインスツルメント社の商標）を用いたもの、また、ＣＲＴを用いたものなどがある。また、プロジェクタに限らず、直視型の画像表示装置等種々の画像表示装置に適用可能である。
【図面の簡単な説明】
【図１】本発明の信号調整装置を適用した画像表示装置の全体構成を示すブロック図である。
【図２】第１実施例としての信号調整回路４０の内部構成を示すブロック図である。
【図３】Ｒに対応する色信号調整後段部４２Ｒを機能的に示す説明図である。
【図４】Ｒに対応する色信号調整前段部４１Ｒを機能的に示す説明図である。
【図５】第１変形例としてのＲの色信号調整前段部４１ＲＡを示す説明図である。
【図６】第２変形例としてのＲの色信号調整前段部４１ＲＢを示す説明図である。
【図７】２つの基準データＤＲ１，ＤＲ２の出力タイミングチャートである。
【図８】第２実施例における信号調整回路を構成する信号調整前段部４１Ａを機能的に示す説明図である。
【図９】Ｒ用のルックアップテーブルを書き換えた後の信号調整前段部４１Ａを示す説明図である。
【図１０】Ｇ用のルックアップテーブルを書き換えた後の信号調整前段部４１Ａを示す説明図である。
【図１１】Ｂ用のルックアップテーブルを書き換えた後の信号調整前段部４１Ａを示す説明図である。
【符号の説明】
１０…ＡＤ変換回路
２０…ビデオプロセッサ
３０…画像メモリ
４０…信号調整回路
４１…信号調整前段部
４１Ｒ，４１Ｇ，４１Ｂ…色信号調整前段部
５１０…アクセス制御回路
５２０ｄ，５２０ｕ…ＲＡＭ
５３０…補間回路
５１０Ｂ…アクセス制御回路
５２５…データラッチ回路
４１ＲＡ…色信号調整前段部
４１ＲＢ…色信号調整前段部
４１Ａ…信号調整前段部
６１０…入力信号選択部
６２０Ａ〜６２０Ｄ…色信号調整前段部
６３０…出力信号選択部
４２…信号調整後段部
４２Ｒ，４２Ｇ，４２Ｂ…色信号調整後段部
４１０…ＲＡＭ
４２０…アクセス切替回路
５０…液晶パネル駆動回路
６０…液晶パネル
７０…コントローラ
７０ｂ…バス
９０…照明装置
１００…投射光学系
ＳＣ…スクリーン
【図１】
0003633508.tif 000002
【図２】
0003633508.tif 000003
【図３】
0003633508.tif 000004
【図４】
0003633508.tif 000005
【図５】
0003633508.tif 000006
【図６】
0003633508.tif 000007
【図７】
0003633508.tif 000008
【図８】
0003633508.tif 000009
【図９】
0003633508.tif 000010
【図１０】
0003633508.tif 000011
【図１１】
0003633508.tif 000012